(57)【特許請求の範囲】
【請求項１】
保護対象物と間隙を介して向き合う板部材により構成される基部を有し、
前記基部には、前記板部材に生じると想定される応力の作用方向に伸びる端縁領域に、孔部と切り欠きにより形作られ前記応力の作用方向に伸長する梁状の応力逃がし部が形成されており、
前記応力逃がし部の端部における切り欠き側の形状は曲線状であるカバー部材。
【請求項２】
複数の前記応力逃がし部が、前記応力の作用方向に沿って配列形成されている請求項１に記載のカバー部材。
【請求項３】
前記孔部は、保護対象物から発せられる熱を放熱する風を通す通風孔としても機能する請求項１又は請求項２に記載のカバー部材。
【請求項４】
前記基部には、前記応力逃がし部が形成される端縁領域の両端側に、前記保護対象物への取り付けに用いられる取り付け部が配設されており、
前記応力は、前記取り付け部を保護対象物に固定することにより発生する請求項１又は請求項２又は請求項３に記載のカバー部材。
【請求項５】
前記応力逃がし部に引っ張り方向の応力が生じるように、前記応力逃がし部が形成される端縁領域の両端側にそれぞれ配設される前記取り付け部の間の間隔は、当該取り付け部がそれぞれ固定される前記保護対象物の取り付け部位の間の間隔よりも狭い請求項４に記載のカバー部材。
【請求項６】
請求項１乃至請求項５の何れか一つに記載のカバー部材と、
前記カバー部材の保護対象物であるハードディスク装置と
を備えるハードディスクユニット。
【請求項７】
保護対象物と間隙を介して向き合う板部材により構成される基部を設け、
前記基部には、前記板部材に生じると想定される応力の作用方向に伸びる端縁領域に、孔部と切り欠きにより形作られ前記応力の作用方向に伸長する梁状の応力逃がし部を形成し、
前記応力逃がし部の端部における切り欠き側の形状は曲線状とするカバー部材形成方法。
【発明の詳細な説明】
【技術分野】
【０００１】
本発明は、保護対象物を保護するカバー部材の変形を防止する技術に関する。
【背景技術】
【０００２】
図５は、ハードディスクユニットの外観例を表す模式的な斜視図である。図６は、そのハードディスクユニットの分解図である。図５および図６に表されているハードディスクユニット３０は、ユニットケース３１を有している。このユニットケース３１にハードディスク装置３２が装着され、ハードディスク装置３２の上部側を覆うように保護カバー３３が配置される。ハードディスク装置３２の上面側には、制御基板（図示せず）が搭載されており、保護カバー３３によって制御基板（制御回路）を保護することができる。ハードディスク装置３２および保護カバー３３は、ねじ３４によってユニットケース３１にねじ留めされる。
【０００３】
なお、特許文献１には、フレキシブルディスク装置を取り付け対象の装置に取り付ける際に利用するホルダーに関する技術が開示されている。
【先行技術文献】
【特許文献】
【０００４】
【特許文献１】特開平９−２３７４８７号公報
【発明の概要】
【発明が解決しようとする課題】
【０００５】
図６に表される保護カバー３３は、製造の容易さの観点から、金属板を折り曲げ加工することにより製造される部材である。この保護カバー３３の幅方向の寸法Ｌ１には、加工精度に因る寸法ばらつきが生じる。また、ハードディスク装置３２の横方向の寸法Ｌ２にも寸法ばらつきが生じる。
【０００６】
保護カバー３３はハードディスク装置３２の上部側を覆うように配置された状態でハードディスク装置３２と共にユニットケース３１にねじ留めされることから、ハードディスク装置３２と保護カバー３３の幅方向の寸法Ｌ１，Ｌ２は合っていることが好ましい。しかしながら、上述したように、それら寸法Ｌ１，Ｌ２にはばらつきが生じることから、ハードディスク装置３２よりも剛性が低い保護カバー３３には、寸法Ｌ１，Ｌ２のばらつきに因る図７に表されるような歪みが生じることがある。
【０００７】
このように保護カバー３３に歪みが生じると、保護カバー３３がハードディスク装置３２の制御基板に接触し、保護カバー３３により、制御基板に形成されている制御回路が短絡しハードディスク装置３２を破損する事態を招く虞がある。
【０００８】
また、複数のハードディスクユニット３０が隣接配置されるディスクアレイ装置においては、保護カバー３３の歪みに起因して、隣接するハードディスクユニット３０が接触する事態が生じることが考えられる。ディスクアレイ装置においては、ハードディスクユニット３０は、予め定められている収容場所に着脱する場合があるが、隣接するハードディスクユニット３０との接触に起因して、その着脱が難しくなるという問題が発生する虞がある。
【０００９】
本発明は上記課題を解決するために考え出された。すなわち、本発明の主な目的は、カバー部材の歪みを抑制する技術を提供することにある。
【課題を解決するための手段】
【００１０】
上記目的を達成するために、本発明のカバー部材は、
保護対象物と間隙を介して向き合う板部材により構成される基部を有し、
前記基部には、前記板部材に生じると想定される応力の作用方向に伸びる端縁領域に、孔部と切り欠きにより形作られ前記応力の作用方向に伸長する梁状の応力逃がし部が形成されており、
前記応力逃がし部の端部における切り欠き側の形状は曲線状である。
【００１１】
また、本発明のハードディスクユニットは、
本発明のカバー部材と、
前記カバー部材の保護対象物であるハードディスク装置と
を備える。
【００１２】
さらに、本発明のカバー部材形成方法は、
保護対象物と間隙を介して向き合う板部材により構成される基部を設け、
前記基部には、前記板部材に生じると想定される応力の作用方向に伸びる端縁領域に、孔部と切り欠きにより形作られ前記応力の作用方向に伸長する梁状の応力逃がし部を形成し、
前記応力逃がし部の端部における切り欠き側の形状は曲線状とする。
【発明の効果】
【００１３】
本発明によれば、カバー部材の歪みを抑制できる。
【図面の簡単な説明】
【００１４】
【図１】本発明に係る第１実施形態のカバー部材の構成を説明する模式図である。
【図２】第１実施形態のカバー部材を備えるハードディスクユニットの構成を説明する図である。
【図３】本発明に係る第２実施形態のカバー部材の構成を説明する模式図である。
【図４】第２実施形態のカバー部材における端縁領域の一部を拡大して表す図である。
【図５】ハードディスクユニットの一外観例を表す斜視図である。
【図６】図５のハードディスクユニットの分解図である。
【図７】カバー部材が歪んだ状態を説明する図である。
【発明を実施するための形態】
【００１５】
以下に、本発明に係る実施形態を図面を参照しつつ説明する。
【００１６】
＜第１実施形態＞
図１は、本発明に係る第１実施形態のカバー部材を説明するモデル図である。第１実施形態のカバー部材１は、保護対象物と間隔を介して向き合う板部材により構成される基部３を有する。ここでは、基部３に生じる応力の作用方向が予め想定できており、基部３には、その応力の作用方向に伸びる端縁領域に、図１に表されるような孔部４と切り欠き５により形作られる梁状の応力逃がし部７が形成されている。この応力逃がし部７は、応力の作用方向に伸長している。かつ、応力逃がし部７の端部７ａにおける切り欠き側の形状は曲線状である（図１の例では、応力逃がし部７の端部７ａの形状は、末広がり状である）。
【００１７】
この第１実施形態のカバー部材１は、図１に表されるような応力逃がし部７を備えているので、基部３に生じる応力を逃がす（分散させる）ことができる。これにより、第１実施形態のカバー部材１は、基部３において、応力に起因して歪みやすい端縁領域の歪みを抑制することができる。しかも、応力逃がし部７の端部（根元部分）には応力が集中し易いが、当該端部７ａの少なくとも切り欠き側の形状を曲線状にすることにより、応力逃がし部７はその端部７ａにおける応力集中を緩和できる。このため、第１実施形態のカバー部材１は、応力集中に起因した応力逃がし部７の変形（歪み）をも抑制することができる。
【００１８】
第１実施形態のカバー部材１は、図２に表されるようなハードディスクユニット１０を構成することができる。図２に表されるハードディスクユニット１０は、第１実施形態のカバー部材１と、当該カバー部材１の保護対象物であるハードディスク装置１１とを備えている。カバー部材１は、例えば、基部３に生じると想定される応力の作用方向に伸びる端縁領域１ａに、図１に表されるような応力逃がし部７が形成されている。カバー部材１は、前述したように、応力逃がし部７によって、端縁領域１ａの歪みを抑制することができる。
【００１９】
ハードディスクユニット１０は、カバー部材１の歪みを抑制できることにより、カバー部材１の歪みに起因した問題を防止することができる。つまり、ハードディスクユニット１０は、カバー部材１がハードディスク装置１１に接触することによりハードディスク装置１１が不具合を起こすという問題を防止できる。また、複数のハードディスクユニット１０が隣接配置される場合に、ハードディスクユニット１０は、隣接しているハードディスクユニット１０に接触する事態を抑制することができる。これにより、ハードディスクユニット１０は、収容場所に対する着脱が妨げられるという問題を防止することができる。
【００２０】
＜第２実施形態＞
以下に、本発明に係る第２実施形態を説明する。
【００２１】
図３は、第２実施形態のカバー部材を模式的に表す斜視図である。このカバー部材１５は、図５に表されるようなハードディスクユニット３０におけるハードディスク装置３２の保護カバーとして機能する部材である。カバー部材１５は、金属板により構成されている。当該カバー部材１５は、ハードディスク装置３２の上面に間隔を介して向き合う基部１７と、この基部１７の両側を折り曲げ加工により折り曲げることにより形成される取り付け部１８（１８ａ，１８ｂ）とを備えている。
【００２２】
取り付け部１８（１８ａ，１８ｂ）には、貫通孔１９が形成されている。貫通孔１９には、ユニットケース３１およびハードディスク装置３２と共通のねじ３４が挿通され、取り付け部１８がユニットケース３１およびハードディスク装置３２と一体的に固定される。
【００２３】
第２実施形態では、取り付け部１８ａ，１８ｂとの間の間隔Ｌ１は、ハードディスク装置３２の幅Ｌ２よりも僅かに小さくなっている。これにより、カバー部材１５をハードディスク装置３２に被せて取り付け部１８をハードディスク装置３２に固定した（ねじ留めした）場合に、基部１７には、取り付け部１８ａ，１８ｂ間の幅方向Ｈに沿う引っ張り方向の応力が発生する。
【００２４】
基部１７には、ハードディスク装置３２の熱を放熱するための風を通す通風孔２０が複数形成されている。また、基部１７には、引っ張り方向の応力が作用する作用方向Ｈに沿う端縁領域に、図４の拡大図に表されるような応力逃がし部２２が形成されている。この応力逃がし部２２は、通風孔（孔部）２０と、基部１７の端縁に形成された切り欠き２３とによって形作られ、その形状は、引っ張り方向の応力の幅方向（作用方向）Ｈに伸長する梁状と成している。この応力逃がし部２２の端部における切り欠き２３側の形状は曲線状（円弧状）と成している。
【００２５】
第２実施形態では、基部１７の端縁領域には、応力の作用方向Ｈに沿って、複数の応力逃がし部２２が配列形成されている。
【００２６】
この第２実施形態のカバー部材１５も、第１実施形態のカバー部材１と同様に、応力逃がし部２２によって、応力が分散されることにより、応力の作用方向Ｈに沿う端縁領域の歪みを防止することができる。しかも、応力逃がし部２２の端部における切り欠き２３側の形状は、応力集中を緩和できる曲線状（円弧状）であるから、応力集中に起因した応力逃がし部２２の歪みが防止される。
【００２７】
このように歪みが防止されることにより、第２実施形態のカバー部材１５およびそれを備えたハードディスクユニットは、カバー部材１５の歪みに起因した問題を抑制できる。
【００２８】
＜その他の実施形態＞
なお、本発明は第１と第２の実施形態に限定されずに様々な実施の形態を採り得る。例えば、第１や第２の実施形態では、カバー部材をハードディスクユニットに装着する例を説明しているが、本発明のカバー部材は、他の用途のカバー部材にも適用できる。
【符号の説明】
【００２９】
１，１５  カバー部材
３，１７  基部
４  孔部
５，２３  切り欠き
７，２２  応力逃がし部
１０  ハードディスクユニット
１１，３２  ハードディスク装置
１８  取り付け部
２０  通風孔
【図１】
0006604252.tif 000002
【図２】
0006604252.tif 000003
【図３】
0006604252.tif 000004
【図４】
0006604252.tif 000005
【図５】
0006604252.tif 000006
【図６】
0006604252.tif 000007
【図７】
0006604252.tif 000008